(57)【要約】【課題】資産について不正な使用を把握し、機密性を有する資産の場合には機密の漏洩を防止することができる資産管理システムを提供する。【解決手段】サーバ１９内の資産管理プログラム３５によって、資産であるパソコン１，２、キャビネット３内のファイル４、サーバ１９等の所定時間外での使用を検知し、警報装置３１を作動させ、警備会社に通報する。資産の使用の検知は、デスクトップ型パソコン１であればマウスに貼付されたＲＦＩＤタグ９で、ノート型パソコン２であればディスプレイ部１２に貼付されたＲＦＩＤタグ１２でその動きを検知する。ファイル４の移動は貼付されたＲＦＩＤタグ１７及びキャビネット３の引き出しに貼付されたタグ１５により検知する。両面粘着型のＲＦＩＤタグ２０では、資産が移動されてタグ２０が剥離された際にアンテナ部の一部を断線させ、その共振周波数を変化させて移動を検知する。【選択図】  図１
2007148831.tif 000002
【特許請求の範囲】
【請求項１】
ＲＦＩＤタグの情報を読み取るタグリーダと、前記タグリーダの作動領域に載置された資産に取り付けられたＲＦＩＤタグと、前記タグリーダから前記ＲＦＩＤタグの情報を受信して解析を行う解析手段とを備え、
前記タグリーダは前記ＲＦＩＤタグの移動を検知したときに当該移動日時を読み取り、前記解析手段は、前記移動日時が所定の移動可能時間帯に入っていない場合は警告を行うことを特徴とする資産管理システム。
【請求項２】
前記ＲＦＩＤタグは、一の被貼着物に貼着される第１粘着面を有する第１粘着シートと、前記一の被貼着物に対向する他の被貼着物に貼着される第２粘着面を有する第２粘着シートと、前記第１粘着シートと前記第２粘着シートとを剥離自在に貼着し前記第１粘着面及び前記第２粘着面よりも粘着力が低い第３粘着層と、前記第１粘着シートの前記第１粘着面と反対の面に固定される電子回路部及びアンテナ部とを有し、前記アンテナ部は前記第２粘着シートが前記第３粘着層を介して前記第１粘着シートから剥離された際にその一部が断線して共振周波数が変化するものであり、
前記タグリーダは前記ＲＦＩＤタグのアンテナ部の共振周波数が変化したときは、前記共振周波数が変化した日時を移動日時として読み取ることを特徴とする請求項１に記載の資産管理システム。
【請求項３】
前記解析手段はサーバ内に配設され、前記資産がネットワークを介して前記サーバに接続されたマウスを有するパソコンであるときは、前記ＲＦＩＤタグが前記マウスに固定され、前記タグリーダは前記マウスの移動を検知したときに当該移動日時を読み取り、前記解析手段は、前記移動日時が所定の移動可能時間帯に入っていない場合は前記サーバを介して前記パソコンを使用不能とすることを特徴とする請求項１に記載の資産管理システム。
【請求項４】
前記資産がディスプレイ部とキーボード部とが開閉自在のノート型パソコンであるときは、前記ＲＦＩＤタグが前記パソコンのディスプレイ部に固定され、前記ディスプレイ部が開閉された際に前記タグリーダが開閉日時を移動日時として読み取ることを特徴とする請求項１に記載の資産管理システム。
【請求項５】
前記資産が扉を有するキャビネット内に保管されているときは、前記ＲＦＩＤタグが前記キャビネットの扉に固定され、前記キャビネットの扉が開閉された際に前記タグリーダが開閉日時を移動日時として読み取ることを特徴とする請求項１に記載の資産管理システム。
【請求項６】
前記資産がリース物件であり、前記移動可能時間帯にリース期間情報を含むことを特徴とする請求項１に記載の資産管理システム。
【発明の詳細な説明】
【技術分野】
【０００１】
本発明は、ＲＦＩＤタグにより資産を管理するシステムに関する。
【背景技術】
【０００２】
近年では、企業内の資産（パソコン等の備品或いは書類等）の管理等にＲＦＩＤタグ（ＩＣタグ）を用いる試みがなされている。例えば、特許文献１には、資産に資産情報が記憶されたＲＦＩＤタグを取り付け、棚卸しの際にそのＲＦＩＤタグ内の情報を利用して管理の効率化を図っている。また、部屋の出入口にタグリーダを設け、当該タグリーダの近傍を通過した資産に貼付されているＲＦＩＤタグの情報を読み取って資産の設置場所を把握したり、本来持ち出されるべきでない資産の場合は持ち出されることをタグリーダで検知して警報を発する等の手段を講じている。
【０００３】
このように、資産管理にＲＦＩＤタグを利用したときは、管理できる情報量がバーコード等に比べて大きいため、より多くの情報を用いて資産管理をすることができる。また、タグリーダによって資産の移動を管理することにより、棚卸しの際の資産の位置の把握を容易にしたり、資産が不正に持ち出されることを防止することが可能となる。
【０００４】
しかしながら、特許文献１に開示された資産管理システムでは、機密性を有する資産、例えば機密文書やパソコンについて、その場で情報のコピー等がなされた場合は、ＲＦＩＤタグやタグリーダ等で把握することができないため、これらの情報が不正に取得された場合であっても当該行為を把握することはできない。
【特許文献１】特開２００４−２９５４０６号公報
【発明の開示】
【発明が解決しようとする課題】
【０００５】
本発明は、ＲＦＩＤタグを利用した資産管理システムの改良を目的とし、さらに詳しくは前記不都合を解消するために、資産について不正な使用を把握し、機密性を有する資産の場合には機密の漏洩を防止することができる資産管理システムを提供することを目的とする。
【課題を解決するための手段】
【０００６】
前記目的を達成するために、本発明の資産管理システムは、ＲＦＩＤタグの情報を読み取るタグリーダと、前記タグリーダの作動領域に載置された資産に取り付けられたＲＦＩＤタグと、前記タグリーダから前記ＲＦＩＤタグの情報を受信して解析を行う解析手段とを備え、前記タグリーダは前記ＲＦＩＤタグの移動を検知したときに当該移動日時を読み取り、前記解析手段は、前記移動日時が所定の移動可能時間帯に入っていない場合は警告を行うことを特徴とする。
【０００７】
本発明の資産管理システムでは、前記タグリーダによって資産に取り付けられたＲＦＩＤタグの移動を検知し、前記解析手段により当該移動日時が所定の移動可能時間帯に入っているかどうかを判断している。例えば、前記資産が企業の機密文書であれば、前記解析手段はその企業の就業時間内或いは機密文書の持ち出し可能時間内に資産の移動が行われているかどうかを検知できる。また、前記移動日時が前記移動時間帯に入っていない場合は資産が不正に使用されたと判断できるため、前記解析手段によって警告を発することにより、このような資産の不正使用を抑制して機密の漏洩を防止することができる。
【０００８】
また、本発明の資産管理システムにおいて、前記ＲＦＩＤタグは、一の被貼着物に貼着される第１粘着面を有する第１粘着シートと、前記一の被貼着物に対向する他の被貼着物に貼着される第２粘着面を有する第２粘着シートと、前記第１粘着シートと前記第２粘着シートとを剥離自在に貼着し前記第１粘着面及び前記第２粘着面よりも粘着力が低い第３粘着層と、前記第１粘着シートの前記第１粘着面と反対の面に固定される電子回路部及びアンテナ部とを有し、前記アンテナ部は前記第２粘着シートが前記第３粘着層を介して前記第１粘着シートから剥離された際にその一部が断線して共振周波数が変化するものであり、前記タグリーダは前記ＲＦＩＤタグのアンテナ部の共振周波数が変化したときは、前記共振周波数が変化した日時を移動日時として読み取ることが好ましい。
【０００９】
このように、前記ＲＦＩＤタグが第１及び第２粘着シートの剥離により前記アンテナ部の共振周波数が変化するものであるときは、当該両面粘着シートを資産と資産が載置される箇所との間に貼付することにより、資産が移動されたときは前記第１及び第２粘着シートが剥離されるので、前記アンテナ部の共振周波数が変化する。従って、当該共振周波数の変化をタグリーダにより読み取ることにより、前記ＲＦＩＤタグが貼着されている資産の移動を検知することができる。また、前記第１粘着シートを資産側に貼着することにより、資産が出入口等から持ち出される際に前記第１粘着シートに設けられた電子回路部及びアンテナ部によって出入口等に設けられたタグリーダで検知することができるため、持ち出された資産の追跡を行うこともできる。
【００１０】
また、本発明の資産管理システムにおいて、前記解析手段はサーバ内に配設され、前記資産がネットワークを介して前記サーバに接続されたマウスを有するパソコンであるときは、前記ＲＦＩＤタグが前記マウスに固定され、前記タグリーダは前記マウスの移動を検知したときに当該移動日時を読み取り、前記解析手段は、前記移動日時が所定の移動可能時間帯に入っていない場合は前記サーバを介して前記パソコンを使用不能とすることが好ましい。
【００１１】
このように前記資産がパソコンであるときは、その使用時には通常マウスの操作が行われるため、マウスに固定されたＲＦＩＤタグの移動を前記タグリーダによって検知することによりパソコンの使用を検知することができる。そして、前記解析手段が前記サーバによって前記パソコンを使用不能とするので、資産の不正な使用を防止することができる。
【００１２】
また、本発明の資産管理システムにおいて、前記資産がディスプレイ部とキーボード部とが開閉自在のノート型パソコンであるときは、前記ＲＦＩＤタグが前記パソコンのディスプレイ部に固定され、前記ディスプレイ部が開閉された際に前記タグリーダが開閉日時を移動日時として読み取ることが好ましい。このように、前記資産がノート型パソコンであるときは、使用の際には前記ディスプレイ部を開ける必要がある。従って、前記ディスプレイ部に前記ＲＦＩＤタグを固定することにより、前記パソコンの使用を検知することができる。
【００１３】
また、本発明の資産管理システムにおいて、前記資産が扉を有するキャビネット内に保管されているときは、前記ＲＦＩＤタグが前記キャビネットの扉に固定され、前記キャビネットの扉が開閉された際に前記タグリーダが開閉日時を移動日時として読み取ることが好ましい。このように、前記資産が扉を有するキャビネットであるときは、前記扉にＲＦＩＤタグを固定することにより扉の開閉を検知することができるので、内部の機密文書等を持ち出すことなく不正にコピーや閲覧等をしようとした場合でも、事前にその行動を検知して警報を発することにより当該不正行為を抑制することができる。
【００１４】
また、本発明の資産管理システムにおいて、前記資産がリース物件であるときは、前記移動可能時間帯にリース期間情報を含むことが好ましい。このように、前記移動可能時間帯にリース期間情報を含むことにより、例えばリース期間が終了した資産が存在する際に警告を行うことで、リースの手続ミス等を早期に発見することができる。
【発明を実施するための最良の形態】
【００１５】
次に、本発明の資産管理システムの実施形態の一例について、図１乃至図６を参照して説明する。本実施形態の資産管理システムは、機密文書を取り扱う企業において用いられており、図１に示すように、事務室Ａと、機密文書室Ｂと、サーバ室Ｃ内に設置されている資産を管理するものである。資産としては、デスクトップ型パソコン１、ノート型パソコン２、引き出し式のキャビネット３内に収められている機密文書が入ったファイル４を例にして説明する。
【００１６】
事務室Ａには、デスクトップ型パソコン１が１０台、ノート型パソコン２が８台設置されている。デスクトップ型パソコン１は、図２に示すようにディスプレイ一体型であり、マウス５により操作を行うものである。また、マウス５の下にはマウスパッド６が置かれている。また、ノート型パソコン２は、図３に示すように、ディスプレイ部７とキーボード部８とを有している。
【００１７】
本実施形態では、デスクトップ型パソコン１のマウス５の底面に、電源を必要としないパッシブ型のＲＦＩＤタグ９が貼着されている。また、マウスパッド６はＲＦＩＤタグ９用のリーダライタが内蔵されている。このマウスパッド６に内蔵されているリーダライタは、ＲＦＩＤタグ９の位置を検出することができる位置検出型のリーダライタである。
【００１８】
また、ノート型パソコン２は、図３に示すように、本実施形態ではマウス１０が装着されており、その下にはマウスパッド１１が置かれている。また、ディスプレイ部７の先端部近傍にはパッシブ型のＲＦＩＤタグ１２が貼着されている。また、ノート型パソコン２は、机１３の表面に載置されるシート状のリーダライタ１４の上に載置されている。このリーダライタ１４も位置検出型のリーダライタである。
【００１９】
機密文書室Ｂには、図１に示すように引き出し式のキャビネット３が４台載置されており、図４に示すように内部にファイル４が収納されている。キャビネット３の引き出し３ａ（扉）には、電源が内蔵されたアクティブ型のＲＦＩＤタグ１５が取り付けられている。また、キャビネット３の載置されている床は床下空間を有するＯＡフロアとなっており、キャビネット３の下方の床下空間にタグリーダ１６が設けられている。このタグリーダ１６は、キャビネット３の引き出し３ａに取り付けられたアクティブ型のＲＦＩＤタグ１５が移動した際に当該ＲＦＩＤタグ１５の情報を読み取るものである。また、各ファイル４には、パッシブ型のＲＦＩＤタグ１７が貼付されている。尚、タグリーダ１６は、このＲＦＩＤタグ１５が移動した場合であってもその移動は検知しない。
【００２０】
サーバ室Ｃには、各パソコン１，２とＬＡＮ１８（ネットワーク）によって接続されているサーバ１９が設置されている。サーバ１９は、サーバ室Ｃの床との間に図５に示すＲＦＩＤタグ２０が貼付されている。また、サーバ室ＣのＲＦＩＤタグ２０近傍の床下には、タグリーダ２６が設置されている。
【００２１】
ＲＦＩＤタグ２０は、サーバ１９側に貼着される第１粘着シート２１と、この第１粘着シート２１と剥離層２２（第３粘着層）を介して積層されている第２粘着シート２３とを備えている。第１粘着シート２１には、薄板状の電子回路部２４とフィルム状の金属で形成されたアンテナ部２５とが設けられている。第１粘着シート２１の裏面側は資産に貼着される第１粘着面となっており、第２粘着シート２３の剥離層２２が設けられていない側の面は第２粘着面となっている。剥離層２２の粘着力は、第１及び第２粘着面の粘着力よりも小さくなっているため、第１及び第２粘着面がそれぞれ資産と載置箇所に粘着している状態から資産を移動させると、第１粘着シート２１と第２粘着シート２２とが剥離層２２から剥離されるようになっている。
【００２２】
このＲＦＩＤタグ２０は、電源が内蔵されていないパッシブ型のＲＦＩＤタグであり、第１粘着シート２１と第２粘着シート２３とが積層されているときはアンテナ部２５はその一部２５ａは結線されており、第１粘着シート２１と第２粘着シート２３とが剥離層２２を介して剥がされたときは、アンテナ部２５の一部２５ａが剥離層２２側に貼着されて断線し、その共振周波数が変化するように形成されている（図５参照）。
【００２３】
さらに、サーバ１９は、ハードウエア資源であるＣＰＵ、ハードディスクやメモリ等の記憶装置を含み、サーバ１９を構成するＣＰＵ等の装置は、サーバ１９の本体を移動させなければ分解して取り出せないように形成されている。尚、ＲＦＩＤタグ２０は、この他に事務室Ａ内に設置されているプリンタ２７（図１参照）の底面に貼付されている。このプリンタ２７の下方にはサーバ室Ｃの床下に設けられているものと同じタグリーダ２６が載置されている。そして、ＲＦＩＤタグ２０はプリンタ２７とタグリーダ２６の双方に粘着するよう貼付されている。
【００２４】
また、事務室Ａ、機密文書室Ｂ、サーバ室Ｃの出入口Ａｉ，Ｂｉ，Ｃｉには、アクティブ型及びパッシブ型のＲＦＩＤタグが出入口を通過したときに当該ＲＦＩＤタグの情報を読み取るタグリーダ２８，２９，３０が設置されている。また、事務室Ａには、サイレンと回転灯によって構成される警報装置３１が設置されており、この警報装置３１もＬＡＮ１８を介してサーバ１９に接続されている。また、従業員３２は各自ＩＤカード３３を携帯しており、ＩＤカード３３の内部にも各個人の所定の情報を記憶したＲＦＩＤタグ３４が設けられている。
【００２５】
次に、本実施形態の資産管理システムの機能的構成について図６を参照して説明する。本実施形態の資産管理システムでは、サーバ１９の記憶領域（ハードディスク又はメモリ）内に資産管理プログラム３５（解析手段）が記憶されている。また、サーバ１９はネットワークハブ或いはルータ等からなるインターフェース３６を介してＬＡＮ１８に接続されており、ＬＡＮ１８には各パソコン１，２が接続されている。また、本実施形態では、各マウスパッド６、リーダライタ１４、及び各タグリーダ２６，２８，２９，３０もＬＡＮ１８によってサーバ１９に接続されている。また、サーバ１９は、インターフェース３６及びインターネット等のネットワークを介して図示しない警備会社のサーバに接続されている。
【００２６】
次に、本実施形態の資産管理システムの作動について説明する。本実施形態のシステムを導入した企業において、就業時間内（例えば午前８時から午後９時）であるときは、従業員３２が事務室Ａ内に入ってきた際に、タグリーダ２８によってＲＦＩＤタグ３４の情報が読み取られ、その情報がサーバ１９に送信され、資産管理プログラム３５によって記憶される。
【００２７】
また、従業員３２は、各自に割り当てられているパソコン１，２を用いて業務を行っている。このとき、デスクトップパソコン１においてマウス５が操作されると、マウス５の移動がマウス５の裏面に貼付されたＲＦＩＤタグ９及びマウスパッド６によって検知され、その情報がサーバ１９に送信される。また、ノート型パソコン２が使用されるときはディスプレイ部７が開けられるので、ＲＦＩＤタグ１２の動きがリーダライタ１４によって検知され、その情報がサーバ１９に送信される。しかしながら、資産管理プログラム３５は、就業時間内の使用であるので警報等は発しない。
【００２８】
また、従業員３２が機密文書室Ｂの出入口Ｂｉから機密文書室Ｂ内に入ったときは、タグリーダ２９によって従業員３２のＲＦＩＤタグ３４の情報が読み取られ、サーバ１９に送信される。このとき、資産管理プログラム３５は、当該従業員３２が機密文書室Ｂ内に入った日時を記憶する。従業員３２がキャビネット３の引き出し３ａを開けて内部のファイル４内部の資料を閲覧した場合、引き出し３ａに設けられているＲＦＩＤタグ１５とタグリーダ１６とによって引き出し３ａが開けられたことを検知し、その情報をサーバ１９に送信する。しかしながら、資産管理プログラム３５は、当該行為が就業時間内の行為であるため警報等は発しない。
【００２９】
一方、従業員３２がファイル４を所持して機密文書室Ｂを出た場合は、タグリーダ２９によって従業員３２のＲＦＩＤタグ３４及びファイル４に取り付けられたＲＦＩＤタグ１７の情報が読み取られ、その情報がサーバ１９に送信される。また、従業員３２がサーバ室Ｃ内に出入りした際にも、従業員３２のＲＦＩＤタグ３４の情報がタグリーダ３０によって読み取られ、その情報がサーバ１９に送信されて資産管理プログラム３５によって記憶される。
【００３０】
このように、本実施形態の資産管理システムを用いた企業では、就業時間内においては従業員３２の事務室Ａ、機密文書室Ｂ及びサーバ室Ｃ内への出入りが各タグリーダ２８，２９，３０で読み取られ、資産管理プログラム３５によって管理される。従って、後に機密文書等にアクセスした従業員を把握しなければならないときは、資産管理プログラム３５によって記憶されている情報を呼び出すことにより、従業員の行動を確認することができる。また、従業員３２が機密文書が入ったファイル４を所持して機密文書室Ｂを入退室した場合も、タグリーダ２８，２９，３０によってＲＦＩＤタグ１７の情報が読み取られるので、ファイル４の移動についても把握することができる。
【００３１】
次に、本実施形態の資産管理システムの就業時間外の作動について説明する。１日における所定の時間帯（午後９時から翌日の午前８時まで）、又は事務室Ａ、機密文書室Ｂ或いはサーバ室Ｃ内に従業員３２が存在しない場合は、資産管理プログラム３５は就業時間外における作動を行う。
【００３２】
まず、何者かが外部から侵入し、デスクトップ型パソコン１の操作を行ったときは、マウス５に貼付されたＲＦＩＤタグ９とマウスパッド６によってマウス５の操作が検知される。また、侵入者がノート型パソコン２を使用するためにディスプレイ部７を開けたときは、ディスプレイ部７に貼付されているＲＦＩＤタグ１２及びリーダライタ１４によってその動作が検知される。
【００３３】
また、侵入者が機密文書室Ｂ内に侵入し、キャビネット３の引き出し３ａを開けたときは、引き出し３ａに取り付けられているＲＦＩＤタグ１５が移動するため、その移動がタグリーダ１６により検知される。また、侵入者が引き出し３ａ内のファイル４を持ち出そうとしたときは、ファイル４に貼付されているＲＦＩＤタグ１７が機密文書室Ｂの出入口Ｂｉに設置されているタグリーダ２９、或いは事務室Ａの出入口Ａｉに設置されているタグリーダ２８によって検知される。このとき、その場で警報装置３１を作動させて警告を行ってもよく、逆に侵入者にこれらの不正な行動が検知されたことを悟らせずに、例えば建物の出入口で警備員等により侵入者を取り押さえるようにしてもよい。
【００３４】
また、侵入者がサーバ室Ｃ内に侵入し、サーバ１９を構成する記憶装置等を取り外すためサーバ１９の本体を移動させたときは、ＲＦＩＤタグ２０の第１粘着シート２１と第２粘着シート２３とが剥離され、アンテナ部の一部２５ａが断線し、アンテナ部２５の共振周波数が変化する。このアンテナ部２５の共振周波数の変化は、タグリーダ２６によって検知される。或いは、侵入者が事務室Ａ内のプリンタ２７を持ち出そうとしたときも同様にＲＦＩＤタグ２０のアンテナ部２５の共振周波数が変化し、その変化がタグリーダ２６によって検知される。
【００３５】
以上のように、マウスパッド６、リーダライタ１４、或いは各タグリーダ２８，２９，３０によって検知された各ＲＦＩＤタグ９，１２，１５，１７，２０及び３４の移動情報は、ＬＡＮ１８を介してサーバ１９に転送される。サーバ１９においては、資産管理プログラム３５が送信されてきた情報の発生日時を特定する。そして、その発生日時が就業時間外であれば、警報装置３１を作動させて警告を行い、同時に警備会社に通報を行う。また、各ＲＦＩＤタグからの情報がパソコン１，２の使用状況であるときは、資産管理プログラム３５はサーバ１９を介して各パソコン１，２を作動不能とする。
【００３６】
このように、本実施形態の資産管理システムによれば、就業時間外に外部から侵入があり、侵入者が資産を介して機密情報等を入手しようとした場合であっても、パソコン１，２の使用やキャビネット３の引き出し３ａの開口、或いはサーバ１９やプリンタ２７の移動が検知されるので、これらの持ち出しを防止するのみならず、これらの機密文書等の閲覧も抑制することができる。
【００３７】
また、本実施形態における資産管理システムにおいては、サーバ１９内にリース情報を記憶させ、資産管理プログラム３５によって資産がリース期間内であるか否かを検査してもよい。例えば、デスクトップ型パソコン１がリース物件であった場合、例え就業時間内であっても、リース期間を過ぎて使用されていることが検出された場合は、リース手続にミスがあったものと判定できる。従って、このような場合は、サーバ１９から資産管理者に電子メールを送って警告する等の処置を行い、適正なリース物件資産の運用を促すことができる。
【００３８】
尚、上記実施形態においては、ノート型パソコン２の使用の把握をディスプレイ部７に固定されたＲＦＩＤタグ１２により行っているが、これに限らず、デスクトップ型パソコン１と同様にマウス１０にＲＦＩＤタグを貼着し、タグリーダを兼ねるマウスパッド１１によってマウス１０の移動によりパソコン２の使用状態を把握しても良い。また、上記実施形態においては、機密文書を収納するファイル４にＲＦＩＤタグ１７を貼付しているが、これに限らず、機密文書自体にＲＦＩＤタグ１７を貼付してもよい。
【００３９】
また、上記実施形態でパッシブ型のＲＦＩＤタグを用いているものについてアクティブ型、或いはセミパッシブ型のＲＦＩＤタグを用いてもよい。また、各タグの移動が検出できれば、アクティブ型のＲＦＩＤタグを用いているものについてパッシブ型やセミパッシブ型のＲＦＩＤタグを用いてもよい。
【００４０】
パッシブ型のＲＦＩＤタグは、リーダライタ側のアンテナから送信された電波をアンテナで受信し、この電波を整流してエネルギーとして使用し、リーダライタから送信されてきたコマンドに応じてＩＣチップがメモリから情報を読み出し、その情報をアンテナから発信するものである。セミパッシブ型のＲＦＩＤタグは、動作は基本的にパッシブ型と同じであるが、搭載電池の電力をエネルギーとして使用してパッシブ型よりも電波の送信距離を長くすることもでき、リーダライタからのコマンドに応じて動作するものである。アクティブ型のＲＦＩＤタグは、セミパッシブ型と同様に搭載電池の電力をエネルギーとして使用するが、リーダライタからのコマンドに応じて電波を発信するのではなく、一定時間毎にアンテナから所定の電波を発信するものである。また、ＲＦＩＤタグの利用周波数帯は、１３５ＫＨｚ未満、１３．５６ＭＨｚ帯、９５０ＭＨｚ帯（ＵＨＦ）、２．４５ＧＨｚ帯等、種々の周波数帯が選択されうる。
【図面の簡単な説明】
【００４１】
【図１】本発明の実施形態の一例である資産管理システムの概要を示す説明図。
【図２】資産であるデスクトップ型パソコン用のマウスにＲＦＩＤタグが貼付されている状態を示す説明図。
【図３】資産であるノート型パソコンのディスプレイ部にＲＦＩＤタグが貼付されている状態を示す説明図。
【図４】資産である機密文書を収納するキャビネットの引き出し（扉）にＲＦＩＤタグが貼付されている状態を示す説明図。
【図５】両面粘着式のＲＦＩＤタグを示す説明図。
【図６】本実施形態の資産管理システムの機能的構成を示す説明図。
【符号の説明】
【００４２】
１，２…パソコン（資産）、４…ファイル（資産）、６…マウスパッド（タグリーダ）、９，１２，１５，１７，２０…ＲＦＩＤタグ、１４，１６，２６，２８，２９，３０…タグリーダ、３１…警報装置、３５…資産管理プログラム（解析手段）。
【図１】
2007148831.tif 000003
【図２】
2007148831.tif 000004
【図３】
2007148831.tif 000005
【図４】
2007148831.tif 000006
【図５】
2007148831.tif 000007
【図６】
2007148831.tif 000008